(57)【要約】【課題】椅子型マッサージ機において、壁面に近接させて配置できるようにする。【解決手段】本発明の椅子型マッサージ機１は、座部２と、この座部２を床面上で前後移動可能に支持する基礎フレーム７と、座部２の後部でリクライニング動作可能に設けられた背もたれ部３と、座部２に着座した使用者に対してマッサージ動作を行うマッサージ部と、を有する椅子型マッサージ機１において、背もたれ部３は、背もたれ部３の後方へのリクライニング動作において、背もたれ部３の下部が前方移動すると共に上部が下降し、背もたれ部３の前方へのリクライニング動作において、背もたれ部３の下部が後方移動すると共に上部が上昇する構成とされていて、前後方向のいずれに沿ったリクライニング動作においても、背もたれ部３の上部が一の鉛直線に沿いつつ上下移動するものである。【選択図】図３
2015054036.tif 000002
【特許請求の範囲】
【請求項１】
座部と、この座部を床面上で支持する基礎フレームと、前記座部の後部でリクライニング動作可能に設けられた背もたれ部と、前記座部に着座した使用者に対してマッサージ動作を行うマッサージ部と、を有する椅子型マッサージ機において、
前記背もたれ部は、
当該背もたれ部の後方へのリクライニング動作において、背もたれ部の下部が前方移動すると共に上部が下降し、
前記背もたれ部の前方へのリクライニング動作において、背もたれ部の下部が後方移動すると共に上部が上昇する構成とされていて、
前後方向のいずれに沿ったリクライニング動作において、前記背もたれ部の上部が一の鉛直線に沿いつつ上下移動することを特徴とする椅子型マッサージ機。
【請求項２】
前記リクライニング動作時に背もたれ部の上部が一の鉛直線に沿いつつ上下動すべく、前記基礎フレームには、後方上側に向かって傾斜状に伸びるレール部材が設けられ、
前記レール部材には、当該レール部材の長手方向に沿って摺動する背もたれ摺動部が設けられており、
前記背もたれ部には、当該背もたれ部に対して前記背もたれ摺動部を左右方向の軸心回りに回動自在に支持する回動支持部と、前記回動支持部の前記軸心回りに背もたれ部の下部を前後方向に進退させる進退駆動部と、が設けられていることを特徴とする請求項１に記載の椅子型マッサージ機。
【請求項３】
前記基礎フレームには、前後方向に沿って水平状に伸びる上部フレームが設けられ、
前記上部フレームには、当該上部フレームの長手方向に沿って案内される座部摺動部が設けられており、
前記座部摺動部が座部に連結されることで、当該座部が上部フレームに沿って前後移動可能とされ、
前記基礎フレームに対する座部の前後移動とリクライニング動作に伴う背もたれ部の下部の前後移動とを連動させるべく、前記座部の後部と背もたれ部の下部とが左右方向の軸心回りに揺動自在に連結されている
ことを特徴とする請求項１または２に記載の椅子型マッサージ機。
【請求項４】
前記座部の前部が取付部材を介して座部摺動部に連結されることで、前記座部は、その前部が後部より上側に位置する傾斜姿勢を保持したまま、前記上部フレームに沿って前後移動可能とされていることを特徴とする請求項３に記載の椅子型マッサージ機。
【発明の詳細な説明】
【技術分野】
【０００１】
本発明は、椅子型マッサージ機に関する。
【背景技術】
【０００２】
椅子型マッサージ機として、例えば、特許文献１に開示されたものがある。この椅子型マッサージ機は、座部の後部に背もたれ部が設けられ、座部の前部に足揉み装置が設けられている。この背もたれ部には使用者の背部をマッサージするマッサージ機構が備えられ、足揉み装置には、使用者の下肢をマッサージする下肢マッサージ機構が内蔵されている。特許文献１に開示された椅子型マッサージ機の背もたれ部は、前後にリクライニング可能とされ、足揉み装置は支持部材を介して座部の前方に揺動可能に設けられている。
【０００３】
このような椅子型マッサージ機は、背もたれ部にリクライニング機能を有していることから、背もたれ部を後方へ倒した状態で使用されることがある。
【先行技術文献】
【特許文献】
【０００４】
【特許文献１】特開２００５−１６０８６６号公報
【発明の概要】
【発明が解決しようとする課題】
【０００５】
上記したような椅子型マッサージ機において、背もたれ部を後方にリクライニングさせた場合、背もたれ部の上端部が座部よりも後方へ大きく突出するようになる（特許文献１の図１参照）。そのため、椅子型マッサージ機と室内壁面との間に広い空間が必要となり、椅子型マッサージ機を壁面寄りに背を向けて設置することが困難な場合があった。言い換えれば、従来の椅子型マッサージ機を設置する際には、室内壁面から離して配置する必要があり、結果的に椅子型マッサージ機は広い設置スペースを必要とするものとなっていた。
【０００６】
本発明は、上記問題点に鑑み、背もたれ部にリクライニング機能を備えさせてある椅子型マッサージ機において、室内の壁面寄りに背を向けて設置する場合に壁面に近接させて設置することを可能とする椅子型マッサージ機を提供することを目的とする。
【課題を解決するための手段】
【０００７】
前記目的を達成するため、本発明においては以下の技術的手段を講じた。
すなわち、本発明に係る椅子型マッサージ機は、座部と、この座部を床面上で支持する基礎フレームと、前記座部の後部でリクライニング動作可能に設けられた背もたれ部と、前記座部に着座した使用者に対してマッサージ動作を行うマッサージ部と、を有する椅子型マッサージ機において、前記背もたれ部は、当該背もたれ部の後方へのリクライニング動作において、背もたれ部の下部が前方移動すると共に上部が下降し、前記背もたれ部の前方へのリクライニング動作において、背もたれ部の下部が後方移動すると共に上部が上昇する構成とされていて、前後方向のいずれに沿ったリクライニング動作において、前記背もたれ部の上部が一の鉛直線に沿いつつ上下移動することを特徴とする。
【０００８】
なお好ましくは、前記リクライニング動作時に背もたれ部の上部が一の鉛直線に沿いつつ上下動すべく、前記基礎フレームには、後方上側に向かって傾斜状に伸びるレール部材が設けられ、前記レール部材には、当該レール部材の長手方向に沿って摺動する背もたれ摺動部が設けられており、前記背もたれ部には、当該背もたれ部に対して前記背もたれ摺動部を左右方向の軸心回りに回動自在に支持する回動支持部と、前記回動支持部の前記軸心回りに背もたれ部の下部を前後方向に進退させる進退駆動部と、が設けられているとよい。
【０００９】
なお好ましくは、前記基礎フレームには、前後方向に沿って水平状に伸びる上部フレームが設けられ、前記上部フレームには、当該上部フレームの長手方向に沿って案内される座部摺動部が設けられており、前記座部摺動部が座部に連結されることで、当該座部が上部フレームに沿って前後移動可能とされ、前記基礎フレームに対する座部の前後移動とリクライニング動作に伴う背もたれ部の下部の前後移動とを連動させるべく、前記座部の後
部と背もたれ部の下部とが左右方向の軸心回りに揺動自在に連結されているとよい。
【００１０】
なお好ましくは、前記座部の前部が取付部材を介して座部摺動部に連結されることで、前記座部は、その前部が後部より上側に位置する傾斜姿勢を保持したまま、前記上部フレームに沿って前後移動可能とされているとよい。
【発明の効果】
【００１１】
本発明に係る椅子型マッサージ機によれば、室内の壁面寄りに背を向けて設置する場合に壁面に近接させて設置することが可能となる。
【図面の簡単な説明】
【００１２】
【図１】本実施形態に係る椅子型マッサージ機のリクライニング機構を示した斜視図である。
【図２】本実施形態に係る椅子型マッサージ機を下方（裏側）から示した斜視図である。
【図３】背もたれ部が起立した状態における本実施形態の椅子型マッサージ機の側面図である。
【図４】背もたれ部がリクライニング途中の状態における本実施形態の椅子型マッサージ機の側面図である。
【図５】背もたれ部が後方に傾斜した状態における本実施形態の椅子型マッサージ機の側面図である。
【図６】本実施形態に係る椅子型マッサージ機の外観斜視図である。
【発明を実施するための形態】
【００１３】
以下、本発明の実施形態を、図を基に説明する。
図１〜図６は、本発明に係る椅子型マッサージ機１の実施形態を示している。
なお、各図では説明の便宜上、構造の一部を省略して描いてある。また、以下の説明では、図３〜図５の左右方向を実際の装置での前後方向と呼び、図３〜図５の上下方向を実際の装置における上下方向と呼ぶ。図３〜図５の紙面貫通方向を実際の装置での左右方向又は幅方向と呼ぶ。これらの方向は、図６において矢印で示しており、椅子型マッサージ機１に座った使用者から見たものと一致する。
【００１４】
また、図１〜図５では、足揉み装置４を省略した形で、椅子型マッサージ機１のフレーム（骨組み）のみを記載するようにしている。
まず、椅子型マッサージ機１の基本構成を説明する。図６などに示すように、この椅子型マッサージ機１は、座部２と、この座部２の後部に設けられた背もたれ部３とを有している。また、座部２の前部には、この座部２に着座した使用者の下肢（特にふくらはぎ）を揉みマッサージする足揉み装置４が設けられている。
【００１５】
図１及び図６に示すように、座部２は、使用者の臀部を下方から支持する部材であり、臀部を支えるに十分な広さ、厚みを有するクッション材５と、クッション材５を下方から支持する座部フレーム６とを有している。この座部２の下部には、この椅子型マッサージ機１を床面へ設置するための基礎フレーム７が設けられており、この基礎フレーム７によって座部２（座部フレーム６）が所定高さに支持されている。
【００１６】
図１〜図５に示すように、基礎フレーム７は、床面接地用として設けられた下部フレーム８と、この下部フレーム８の上方で座部２の支持高さに合わせて設けられた上部フレーム９と、これら下部フレーム８と上部フレーム９との上下間を連結する支柱フレーム１０とを有している。
詳しくは、上部フレーム９は、前後方向に沿って水平を向くように設けられた棒状の部材であり、左右に一対設けられている。この上部フレーム９の前後方向の３箇所、つまり前端、後端、及び前後方向の中途側には、上下方向に沿って起立状に配設された支柱フレーム１０が設けられており、この支柱フレーム１０により上部フレーム９と下部フレーム８とが連結されている。さらに、下部フレーム８は、前後方向に３つ設けられた支柱フレーム１０の下端同士を連結するように前後方向及び左右方向に沿って配備されている。本実施形態の基礎フレーム７を構成するこれらのフレームには、いずれも中空の四角形断面を有する角パイプ等が用いられている。
【００１７】
本実施形態の基礎フレーム７では、上述した上部フレーム９、下部フレーム８及び支柱フレーム１０で囲まれた内側に、比較的大きな空間が確保されている。この空間は、足揉み装置４を十分に収納可能な大きさを備えており、足揉み装置４を未使用時に格納できる構成となっている。
背もたれ部３は、座部２とおおよそ同じ幅を備えると共に上下方向に長尺とされた所定厚みを有する部材である。背もたれ部３も、座部２と同様に使用者の背部を支えるに十分な広さを有するクッション材３２と、クッション材３２を後方より支持する背部フレーム１１とを有している。
【００１８】
背もたれ部３は、後述するリクライニング機構により、座部２に対して前後方向に揺動するようになっている。加えて、背もたれ部３は、座部２自体に対しても揺動自在に連結されている。具体的には、背部フレーム１１の下部には前方突出片１３が設けられており、また座部２の座部フレーム６の上側には前方突出片１３に対応した位置に上方突出片１４が設けられていて、これらの前方突出片１３の前端側と上方突出片１４の上端側とが左右方向を向く軸回りに回動自在に連結されている。
【００１９】
この背もたれ部３の内部には、座部２に着座した使用者の背中〜腰に対して揉みや叩き、或いは振動などのマッサージ動作を行うマッサージ部１２が上下移動自在に設けられている（図１参照）。
図６に示すように、足揉み装置４は、上述した基礎フレーム７の内側の空間に収容可能な箱状の部材であり、その正面には使用者の下肢（左右の足）を嵌め入れ可能にする左右一対の足入れ部３３、３３が形成されている。この足入れ部３３の内側には、下肢に対して揉みマッサージを行う下肢用マッサージ装置が内蔵されている。また、足揉み装置４は、図示を省略する移動機構を用いて、座部２の下側から座部２の前方まで出退可能とされている。
【００２０】
この下肢用マッサージ装置には、エア式や機械式で下肢に対し揉みマッサージを行う構成を採用することができる。
ところで、本実施形態の椅子型マッサージ機１に備えられたリクライニング機構は、背もたれ部３の後方へのリクライニング動作において、背もたれ部３の下部が前方移動すると共に背もたれ部３の上部が下降し、また背もたれ部３の前方へのリクライニング動作においては、背もたれ部３の下部が後方移動すると共に背もたれ部３の上部が上昇するように、背もたれ部３を前後方向に揺動させるものとなっている。このリクライニング機構によるリクライニング動作においては、背もたれ部３の上部が一の鉛直線に沿いつつ上下移動するようになる。
【００２１】
このようなリクライニング動作を得るためには、具体的には、次のような構成を備えることが必要となる。
つまり、基礎フレーム７には、後方上側に向かって傾斜状に伸びるレール部材１５が設けられている。このレール部材１５には、レール部材１５の長手方向に沿って摺動する背もたれ摺動部１６（摺動部）が設けられている。また、この背もたれ摺動部１６は、回動支持部１７により背もたれ部３に対して左右方向の軸心回りに回動自在に支持されており、背もたれ部３の下部は進退駆動部１８により前後方向に進退可能とされていて、これらの作用により背もたれ部３はその上部を一の鉛直線に沿いつつ上下移動させつつ前後方向に揺動できるようになっている。
【００２２】
次に、本実施形態のリクライニング機構を構成するレール部材１５、背もたれ摺動部１６、回動支持部１７、及び進退駆動部１８について説明する。
上述したように基礎フレーム７の上部フレーム９は前後方向に沿って水平に配備されており、この上部フレーム９の上方に、レール部材１５が水平方向に対して後ろ上がりに傾斜して配備されている。
【００２３】
すなわち、レール部材１５は、基礎フレーム７と同様に中空の四角形断面を有する角パイプ等から形成されており、レール部材１５の前端は上部フレーム９の前後方向の中途部に連結されており、レール部材１５の後端は、基礎フレーム７の後側に配備された支柱フレーム１０の上端に連結されている。なお、レール部材１５の後端が連結される後側の支
柱フレーム１０の上端は上部フレーム９のさらに上方に突出するように位置しており、レール部材１５の後端はその前端よりも高い位置に取り付けられている。そのため、レール部材１５は後方に向かうに連れて高くなるように傾斜状に配備されていて、この傾斜したレール部材１５上を背もたれ摺動部１６が長手方向に沿って後ろ上がりに摺動するようになっている。
【００２４】
本実施形態の背もたれ摺動部１６は、レール部材１５を左右から挟み込むように配備された一対の板状の部材と、これらの板状の部材の間に回転自在に設けられた上下２つの転動部材２０、２０とから構成されている。また、これら左右一対の板状の部材の設置間隔はレール部材１５の左右方向の幅に対応したものとされており、また上下２つの転動部材２０、２０の設置間隔はレール部材１５の上下方向の厚みに対応したものとされている。
【００２５】
また、上述した背もたれ摺動部１６は、背もたれ部３に対して回動支持部１７を介して左右方向を向く軸回りに回動自在に支持されている。具体的には、背部フレーム１１には、この背部フレーム１１の下端から上方に向かって１／４程度の位置に、上述した前方突出片１３が前方に向かって板状に突出して設けられている。この前方突出片１３は、背部フレーム１１の左右両側にそれぞれ設けられている。
【００２６】
そして、この前方突出片１３の基端側に、上述した背もたれ摺動部１６の上部が枢支軸２１を用いて枢支されている。この枢支軸２１は、背もたれ摺動部１６における内側の側面の上側に左右方向を向くように取り付けられており、背もたれ摺動部１６を左右方向を向く軸回りに揺動可能に支持している。つまり、本実施形態では、左右方向を向く枢支軸２１が、上述した回動支持部１７となっている。
【００２７】
このような回動支持部１７を設けて背もたれ摺動部１６を左右方向を向く軸回りに揺動可能に前方突出片１３に取り付けておけば、リクライニング動作により背部フレーム１１とレール部材１５との間の角度が変化しても、背もたれ摺動部１６が枢支軸２１回りに回動して角度の変化を吸収することができ、背もたれ部３のリクライニングに合わせて背もたれ摺動部１６をレール部材１５に沿ってスムーズに案内することができる。
【００２８】
なお、背もたれ摺動部１６が摺動するレール部材１５に角パイプ等を採用することで、背もたれ摺動部１６がレール部材１５の長手方向（摺動軸線）を中心として回り止めされるようになり、ガタツキなく安定した摺動を行えるようになる。
一方、背もたれ部３の下部から基礎フレーム７の下部にかけては、背もたれ部３のリクライニング動作の駆動源となる進退駆動部１８が配備されている。
【００２９】
進退駆動部１８は、背もたれ部３の下部より後方に突出するように設けられた後方突出片２２と、この後方突出片２２に連結され且つ基礎フレーム７の左右方向略中央に配備されたリニアアクチュエータ２３とを有している。
後方突出片２２は、背部フレーム１１の下端であって左右方向中央部から後方下側に向かって伸びる２本の棒状の部材から構成されている。これら２本の棒状の部材は、背部フレーム１１に連結した基端側では上下に離れた位置に取り付けられているが、リニアアクチュエータ２３に連結する先端側では１本とされている。
【００３０】
また、図３〜図５に示すように、本実施形態の進退駆動部１８を構成するリニアアクチュエータ２３は、正逆自在に回転する電動モータ２４と、電動モータ２４により回転駆動されるネジ軸２５と、このネジ軸２５に同伴回転を規制された状態で螺合する移動子２６と、を備えた構造となっている。このような構造であるために、電動モータ２４を回転させることでネジ軸２５が回転し、移動子２６が直線状に移動する。
【００３１】
このリニアアクチュエータ２３の基端側、すなわち電動モータ２４側は、基礎フレーム７の下部フレーム８の前部側に左右軸心回りに揺動自在に取り付けられており、リニアアクチュエータ２３のネジ軸２５は後方を向くように配備されている。リニアアクチュエータ２３の移動子２６は、後方突出片２２の先端側に左右軸心回りに回動自在に連結されている。
【００３２】
このような構成を有するため、電動モータ２４を用いてネジ軸２５を回転させると、ネジ軸２５に螺合した移動子２６がネジ軸２５の長手方向に沿って前後いずれかの方向に移動し、この移動子２６に後方突出片２２を介して連結された背もたれ部３の下部が前後方
向に揺動する。なお、リニアアクチュエータ２３の電動モータ２４側及び移動子２６側が左右軸心回りに回動自在に連結されているため、移動子２６の移動に伴ってリニアアクチュエータ２３自体の傾きが変化することが許容でき、背もたれ部３が上述した回動支持部１７（枢支軸２１）を中心に前後にスムーズに揺動するようになる。
【００３３】
本実施形態の椅子型マッサージ機１では、上述したようにリクライニング機構を用いて背もたれ部３をリクライニングさせた場合、このリクライニング動作に連動して座部２が前後に移動するように構成されている。
具体的には、座部２の座部フレーム６は、前後方向を向く縦枠部材２７と、左右方向を向く横枠部材２８とを組み合わせて、梯子状に形成されている。
【００３４】
一方、図３〜図５に示すように、基礎フレーム７の上部フレーム９（上部フレーム９のうち、左右両側に配備され且つ前後方向を向くフレーム）の前方側と後方側には、当該上部フレーム９の長手方向に摺動自在とされた座部摺動部２９がそれぞれ設けられている。この座部摺動部２９と座部フレーム６とは、取付部材３０を介するなどして連結されている。
【００３５】
具体的には、座部摺動部２９は、上部フレーム９を挿通可能な挿通孔３１を前後方向に貫通状に備えた部材（図１及び図２参照）であり、上部フレーム９の長手方向に沿って移動可能とされている。この座部摺動部２９は、上部フレーム９の前方側と後方側とに１つずつ設けられている。上部フレーム９の前方側に位置する座部摺動部２９Ｆは、レール部材１５の前端が連結している部位より前側に配備され、上部フレーム９の前端とレール部材１５の前端が連結している部分との間を摺動自在となっている。上部フレーム９の後方側に位置する座部摺動部２９Ｒは、レール部材１５の前端が連結している部位より後側に配備され、レール部材１５の前端が連結している部分と上部フレーム９の後端との間を摺動自在となっている。
【００３６】
上部フレーム９の前方側に位置する座部摺動部２９Ｆからは、上方に突出するように設けられた取付部材３０が突設されており、この取付部材３０の上端は、座部フレーム６を構成する縦枠部材２７の前後方向中途部に取り付けられるようになっている。座部フレーム６を構成する縦枠部材２７の後端は、上部フレーム９の後方側に位置する座部摺動部２９Ｒに取り付けられている。
【００３７】
このような構成であるため、水平方向に沿って設けられた上部フレーム９に対して、座部フレーム６の縦枠部材２７は前方上方に向かって傾動しており、座部２は前方に向かうほど高くなるような姿勢となっている。座部摺動部２９が上部フレーム９を前後動することで、座部フレーム６は前方上方傾斜状態を維持したまま前後動する。
また、座部フレーム６を構成する縦枠部材２７の後側（詳しくは、取付部材３０の連結部位と縦枠部材２７の後端との間）には、上方に向かって突出する板状の上方突出片１４が左右に一対形成されている。そして、この上方突出片１４の上端（突端）と、上述した背もたれ部３の前方突出片１３の前端とが、左右方向を向く軸回りに回動自在に連結されている。
【００３８】
このように上方突出片１４の上端と、前方突出片１３の前端とを回動自在に連結しておけば、座部２と背もたれ部３との間の角度が自由に変更できつつも、背もたれ部３のリクライニング動作に伴う前後動を座部フレーム６へ伝えることができるようになる。
次に、図３〜図５を用いて、本実施形態の椅子型マッサージ機１におけるリクライニング機構の動作を説明する。
【００３９】
図３は、背もたれ部３が上方に向かって起立した、言い換えれば、水平面に対する背もたれ部３の仰角が最も大きくなるような「起立姿勢」の椅子型マッサージ機１を示したものである。
図４は、背もたれ部３が「起立姿勢」よりもさらに後方にリクライニングした「中途姿勢」にある椅子型マッサージ機１を示したものである。
【００４０】
図５は、背もたれ部３がもっと後方に倒れ込んだ、言い換えれば、水平面に対する背もたれ部３の仰角が最も小さくなるような「リクライニング姿勢」にある椅子型マッサージ機１を示したものである。
図３に示すように、「起立姿勢」にある椅子型マッサージ機１の背もたれ部３をリクライニングさせる場合は、進退駆動部１８を構成するリニアアクチュエータ２３の電動モータ２４を用いてネジ軸２５を回転させる。そうすると、図４に示すように、移動子２６がネジ軸２５に螺合しつつネジ軸２５の長手方向に沿って前方に移動し、移動子２６が電動モータ２４に近接するようになる。この際、移動子２６に連結された後方突出片２２は、後方側から前方側へ牽引されるようになり、その結果、背もたれ部３の下部が前方に移動する。
【００４１】
また、背もたれ部３は、背もたれ摺動部１６に対して回動支持部１７により回動自在となっているので、回動支持部１７より下側に位置する背もたれ部３（背もたれ部３の下部）を前方に揺動させると、背もたれ部３の上部が、下部とは反対方向に（後方に）倒れ込む。それゆえ、リニアアクチュエータ２３の電動モータ２４を用いて移動子２６を前方に向かって移動させると、背もたれ部３が後方に向かって倒れ込むようにリクライニングする。
【００４２】
一方、回動支持部１７を介して背もたれ部３が連結されている背もたれ摺動部１６は、水平面に対して傾斜するように設けられたレール部材１５上を摺動可能となっている。そのため、背もたれ部３を後方に向かって傾動させると、図４に示すように、背もたれ摺動部１６がレール部材１５に沿って後方から前方に移動し、レール部材１５の略中央まで移動するようになる。
【００４３】
つまり、本実施形態の椅子型マッサージ機１では、背もたれ部３の上部が後方に倒れ込んだ量を打ち消すように、背もたれ部３が背もたれ摺動部１６により前方に摺動するように動作する
。斯かる動作により、背もたれ部３はその上部を一の鉛直線に沿って下方移動させつつ前方に揺動することになり、背もたれ部３を壁面Ｗなどに接触させずにリクライニング動作を行うことが可能となる。
【００４４】
例えば、「起立姿勢」からリクライニングさせる際に、背もたれ部３の後方に壁などが存在している場合、従来のリクライニング機構では背もたれ部３が後方に倒れ込んで、背もたれ部３の上部が壁面Ｗに当たると言った問題を起こす場合があった。しかし、本実施形態の椅子型マッサージ機１では、背もたれ部３の上部が前後方向に殆ど位置を変えることなく下方に移動して背もたれ部３のクライニングが行われる。そのため、本実施形態の椅子型マッサージ機１では、背もたれ部３の後方に垂直な壁面Ｗがあるような設置場所でも、壁面Ｗを気にすることなく背もたれ部３のリクライニングを行うことが可能となり、椅子型マッサージ機１を狭い室内などで利用することが可能となるのである。
【００４５】
一方、本実施形態の椅子型マッサージ機１では、背部フレーム１１の下端から上方に向かって１／４程度の位置に前方突出片１３が設けられており、この前方突出片１３の前端には座部フレーム６の上方突出片１４の上端が回動自在に連結されている。そのため、背もたれ部３の下部が前方に向かって揺動すると、この背もたれ部３の揺動に連動して座部２にも前進方向に力が加わる。
【００４６】
そうすると、図４に示すように、座部フレーム６に取付部材３０を介して取り付けられた座部摺動部２９が、基礎フレーム７の上部フレーム９に沿って摺動し、図中に実線の矢印で示すように基礎フレーム７に対して座部２の位置が前方にシフトするようになる。
次に、図４に示す「中途姿勢」の椅子型マッサージ機１において、更にリニアアクチュエータ２３を駆動させて、移動子２６が電動モータ２４に最も近接するようにする。この際、移動子２６に連結された後方突出片２２は、更に前方側へ牽引されるようになり、その結果、図５に示すように、背もたれ部３の下部が基礎フレーム７内に入り込むような形で前方に移動する。このような背もたれ部３の下部の前方移動にともない、背もたれ部３の上部が更に後方に倒れ込むようになる。一方、背もたれ摺動部１６は、図４に示すように、背もたれ摺動部１６がレール部材１５に沿って前方に移動し、レール部材１５の前端まで移動する。
【００４７】
図４の「中途姿勢」から図５の「リクライニング姿勢」に至るまでの動作においても、背もたれ部３の上部が後方に倒れ込んだ量を打ち消すように、背もたれ部３が背もたれ摺
動部１６により前方に摺動するように作動する。そのため、背もたれ部３はその上部を一の鉛直線に沿って下方移動させつつ前方に揺動することになり、背もたれ部３を壁面Ｗなどに接触させずにリクライニング動作を行うことが可能となる。
【００４８】
また、図４の「中途姿勢」から図５の「リクライニング姿勢」に至るまでの背もたれ部３の揺動に連動して、座部２にも前進方向に力が加わる。
そうすると、座部フレーム６に取付部材３０を介して取り付けられた座部摺動部２９が、基礎フレーム７の上部フレーム９に沿って摺動し、図４に実線の矢印で示すように基礎フレーム７に対して座部２の位置が前方にシフトするようになり、最終的に図５に示す座部フレーム６の位置まで移動する。
【００４９】
なお、上述した動作は背もたれ部３を後方に揺動させる際のものであったが、背もたれ部３を起き上がらせる場合には、上述したものと逆の手順（図４に点線の矢印で示す向き）に従って各部材を動かすことで、背もたれ部３の起立を行うことが可能となる。
以上述べたような本発明に係る椅子型マッサージ機１によれば、背もたれ部３は、その上部を一の鉛直線に沿って下方移動させつつ前方に揺動することになるため、室内の壁面Ｗ寄りに背を向けて設置する場合に壁面Ｗに近接させて設置することが可能となる。
【００５０】
今回開示された実施形態はすべての点で例示であって制限的なものではないと考えられるべきである。本発明の範囲は前記した説明ではなくて特許請求の範囲によって示され、特許請求の範囲と均等の意味及び範囲内でのすべての変更が含まれることが意図される。
【符号の説明】
【００５１】
１  椅子型マッサージ機
２  座部
３  背もたれ部
４  足揉み装置
５  座部のクッション材
６  座部フレーム
７  基礎フレーム
８  下部フレーム
９  上部フレーム
１０  支柱フレーム
１１  背部フレーム
１２  マッサージ部
１３  前方突出片
１４  上方突出片
１５  レール部材
１６  背もたれ摺動部
１７  回動支持部
１８  進退駆動部
２０  転動部材
２１  枢支軸
２２  後方突出片
２３  リニアアクチュエータ
２４  電動モータ
２５  ネジ軸
２６  移動子
２７  縦枠部材
２８  横枠部材
２９  座部摺動部
２９Ｆ  前方側の座部摺動部
２９Ｒ  後方側の座部摺動部
３０  取付部材
３１  挿通孔
３２  背もたれ部のクッション材
３３  足入れ部
Ｗ  壁面
【図１】
2015054036.tif 000003
【図２】
2015054036.tif 000004
【図３】
2015054036.tif 000005
【図４】
2015054036.tif 000006
【図５】
2015054036.tif 000007
【図６】
2015054036.tif 000008